(57)【特許請求の範囲】
【請求項１】
表面から疎水性物質を除去するのに適した組成物であって、
a）当該アルキル基に含まれる炭素原子数が８〜12であるＮ−アルキルピロリドンから成る群より選ばれた有機溶剤と、
b）非イオン界面活性剤であって、前記有機溶剤と前記界面活性剤との重量比が0.5:1.0〜1.5:1.0の範囲内にあるものと、
c）前記有機溶剤を完全に可溶化するのに必要な重量の３倍以上の重量で存在しているカップラーであって、炭素原子数２〜10のアルカノールアミンから成る群より選ばれた低分子量アルカノールアミンと線状アルキルベンゼンスルホネートとの混合物を含み、かつ、前記低分子量アルカノールアミンと前記線状アルキルベンゼンスルホネートとの重量比が1.0:1.0〜2.0:1.0の範囲内にあるものとを含んで成り、前記カップラーの濃度が高くなるにつれ当該組成物の洗浄能が高くなる組成物。
【請求項２】
一般家庭内のバスルームで見受けられるソープスカムやミネラルスケールを除去するのに適した組成物であって、
a）当該アルキル基に含まれる炭素原子数が８〜12であるＮ−アルキルピロリドンから成る群より選ばれた有機溶剤と、
b）前記有機溶剤を完全に可溶化するのに必要な重量の３倍以上の重量で存在しているアミンオキシド系カップラーと、
c）水中に5.0以下のpHを発生させることができる強有機酸であって、一般式R4COOH（式中、R4はC2〜C20のヒドロキシアルキル基から成る群より選択される）で表される酸から成る群より選ばれた強有機酸と、
d）水中に5.0〜6.9の範囲のpHを発生させることができる弱有機酸であって、一般式R5COOH（式中、R5はC1〜C5アルキル基から成る群より選択される）で表される有機酸から成る群より選ばれた弱有機酸と
を含んで成り、前記有機溶剤と前記弱有機酸との存在比が重量比で1.0:1.0〜2.0:1.0の範囲内にあり、かつ、前記カップラーの濃度が高くなるにつれ当該組成物の洗浄能が高くなる組成物。
【請求項３】
請求の範囲１に記載の組成物の有効量を硬い表面に適用する工程を含む、硬い表面から疎水性物質を除去する方法。
【請求項４】
請求の範囲２に記載の組成物の有効量を硬い表面に適用する工程を含む、硬い表面からソープスカム及びスケールを除去する方法。
【発明の詳細な説明】
本発明は、有機溶剤を完全に可溶化するために必要な濃度を越えて可溶化カップラー濃度を増加させた場合に意外にも洗浄性能の向上を示す洗浄用組成物に関する。本発明の組成物を用いて硬い表面を洗浄する方法についても記載する。
化学洗浄剤は工業用洗浄市場の重要な部分を占める。化学洗浄剤は、典型的には水性であり、そして様々な汚染物を可溶化するための有機溶剤、湿潤剤として作用する界面活性剤、及びマグネシウムやカルシウムのような水中に存在するイオンをキレート化するためのビルダーを含む。これらの成分の種類や比率は、洗浄すべき汚染物の種類や望まれる性能に依存して相当に変化しうる。どの成分も水溶性であることが普通である。しかし、特に溶剤成分については水への溶解度が無視できる場合もある。こうした場合には、「カップラー」または「ヒドロトロープ」と一般に呼ばれている成分を使用して、洗浄用組成物に含まれる有機溶剤の見掛けの水溶解度を高めている。カップラーの必要量は、カップラー、有機溶剤及びその他混合物の成分の種類に依存する。
一般に、溶剤を完全に可溶化するためのカップラーの使用量は必要最少限に止めることが好ましい。というのは、洗浄用組成物のコストが削減されるからである。さらに、米国特許第5,080,822号及び同第5,080,831号明細書に記載されているように、従来の組成物ではカップラーの量を増加させると、洗浄性能は一般に低下してしまう。
当該技術の現状を鑑みれば、本明細書に記載した本発明の洗浄用組成物の性能がカップラー濃度の増加と共に実際に向上したことは本発明者にとって驚くべきことであった。
本発明の態様の一つは、表面から疎水性物質を除去するのに適した組成物であって、
a）水中0.1重量％における表面張力が約３×10-4ニュートン／cm（30ダイン／cm）以下であり水溶性が極めて小さい有機溶剤と、
b）有効量のカップラーと、
c）界面活性剤とを含む組成物である。
有機溶剤を完全に可溶化させるのに必要な量（重量）の３倍以上の量のカップラーを存在させることが好ましい。この理由は、実施例で示したように、その量を越えるまでカップラーの量を増加させると非常に良好な洗浄結果が得られるからである。
「カップラー」とは、組成物の相安定性を増大する能力を有する物質を意味する。この用語は、当該技術分野でしばしば用いられる用語「ヒドロトロープ」の同義語である。カップラーに関連して用いる場合、「有効量」とは、存在するカップラー」の重量が、（拡大しないで目視観察した場合に）組成物中に存在する有機溶剤を完全に可溶化するのに必要な量以上であることを意味する。
本発明の疎水性汚染物洗浄用組成物に用いるのに好ましいカップラーには、炭素原子数約２〜約10個の低分子量アルカノールアミン、例えばモノエタノールアミン、トリエタノールアミン、ジエタノールアミン、等と、線状アルキルベンゼンスルホネートとの混合物が含まれる。「低分子量」とは約500未満の分子量を意味する。「線状アルキルベンゼンスルホネート」には、ドデシルベンゼンスルホン酸ナトリウム、ドデシルベンゼンスルホン酸、等が含まれる。
本明細書中の用語「水溶性が極めて小さい」とは、有機溶剤の水への溶解度が約0.01重量％〜約0.2重量％、より好ましくは約0.1〜約0.2重量％の範囲にあることを意味する。本発明のこの態様の組成物に用いるのに好ましい有機溶剤は、アルキル基に含まれる炭素原子数が約８〜約12個であるN-アルキルピロリドン、例えばN-オクチルピロリドン、等である。
用語「界面活性剤」とは、水の表面張力を低下させることができる物質を意味する。本発明の疎水性汚染物洗浄用組成物に用いるのに好ましい界面活性剤は非イオン界面活性剤である。
本発明の疎水性汚染物洗浄用組成物（濃縮型及び希釈型）における活性な水溶性が極めて小さい有機溶剤と活性な界面活性剤との重量比は、好ましくは約0.5:1.0〜約1.5:1.0の範囲、より好ましくは約0.8:1.0〜約1.2:1.0の範囲、最も好ましくは約1.0:1.0である。
本発明の疎水性汚染物洗浄用組成物（濃縮型及び希釈型）における活性な低分子量アルカノールアミンと線状アルキルベンゼンスルホネートとの重量比は、好ましくは約2.0:1.0〜約1.0:1.0の範囲、より好ましくは約1.7:1.0〜約1.3:1.0の範囲、最も好ましくは約1.5:1.0である。
まったく意外なことに、すぐに使用できる（”RTU”、すなわち希釈された）組成物中のカップラーの量を約0.2重量％から約1.0重量％へ増加すると、本明細書中の実施例から明らかなように、本発明の第一態様の組成物の洗浄特性が著しく改良されることを発見した。
本発明の第二の態様は、一般家庭内、その他バスルーム、キッチン、等で見うけられるソープスカムやミネラルスケール（単に「スケール」と呼ぶこともある）を除去するのに適したバスクリーナー組成物である。「ソープスカム」とは、典型的には皮脂のような有機物と石鹸を含む組成物を記述する用語である。「ミネラルスケール」とは、「硬水」由来の鉱物付着物（カルシウムやマグネシウム）を意味する。ここでもまた、表面から疎水性物質を除去するのに適した組成物を用いた場合、意外なことにカップラー濃度を増加させると、特に水溶性が極めて小さい有機物を完全に可溶化するのに必要な量の３倍を越えて増加させると、ソープスカムの除去速度が実際に向上したことを発見した。
本発明の第二態様による組成物は、
a）水中0.1重量％における表面張力が約３×10-4ニュートン／cm（30ダイン／cm）以下であり水溶性が極めて小さい有機溶剤と、
b）有効量のアミンオキシド系カップラーと、
c）有効量の強有機酸と、
d）有効量の弱有機酸とを含む。
アミンオキシド系カップラーに関連して用いる用語「有効量」とは、存在するアミンオキシド系カップラーの重量が、（拡大しないで目視観察した場合に）組成物中に存在する有機溶剤を完全に可溶化するのに必要な量以上であることを意味する。疎水性汚染物除去組成物を用いる場合、カップラーの重量は、有機溶剤を完全に可溶化するのに必要な重量の３倍以上であることが好ましい。
本発明のソープスカム／ミネラルスケール洗浄用組成物に含まれる弱有機酸は、ソープスケールの一次溶解剤としての作用を示し、このため有効量はソープスケールを実質的に完全に溶解する量である。
ソープスカム洗浄用組成物の弱有機酸成分は、一般式R5COOH（式中、R5はC1〜C5アルキル基から成る群より選択することができる）に包含される有機酸の中から選ぶことができる。好ましい弱有機酸の一つは酢酸である。この弱有機酸は、水中のpHを約5.0〜約6.9の範囲にできるものでなければならない。
強有機酸成分は、ソープスケールの二次的な溶解剤として働くと同時に、一時的には異臭制御成分として働く。こうして、有効量はユーザーが異臭を許容できる程度に制御することを望む量である。もちろん、この量はユーザーによって変わるが、一般には強酸の量が増加すると、望ましくない異臭は減少する。
本発明のこの態様の組成物の強有機酸成分は、すぐに使用できる温度（すなわち、一般に約20℃）において水に溶解又は分散されることができるならば、室温では液体であっても固体であってもよい。好ましい強有機酸は、一般式R4COOH（式中、R4はC2〜C20ヒドロキシアルキル基及びアルキル基から成る群より選択される）で示される酸である。ここで、「アルキル」には直鎖アルキルと分岐鎖アルキルが含まれる。これらの強有機酸の中で好ましいものはヒドロキシ酢酸（グリコール酸）である。この強有機酸は約5.0以下のpH（水素イオン濃度の負の対数）を発生できることが必要である。
本発明のこの態様に用いるのに好ましい有機溶剤は、本発明の第一の態様の疎水性汚染物除去用組成物で用いるのに好ましいものである。
本発明のソープスケール洗浄用組成物に用いるのに好ましいカップラーは、以下の一般式で示されるアミンオキシド化合物であることがわかった。
0003931255.tif 000002
上式中、R1、R2及びR3は以下のように定義される。
R1及びR2は、同じか又は異なる、C1〜C4アルキル又はヒドロキシアルキル基であることができ、そして
R3は、C8〜C20直鎖又は分岐鎖アルキル又はヘテロアルキル基（好ましくはエーテル）であることができる。
本発明に包含される洗浄用組成物における有機溶剤対カップラーの重量比は、好ましくは約2:1〜約5:1の範囲に、より好ましくは約2.5:1.0〜約3.5:1.0の範囲に、最も好ましくは約3.0:1.0にある。有機溶剤対弱酸の重量比は、好ましくは約1.0:1.0〜約2.0:1.0の範囲に、より好ましくは約1.2:1.0〜約1.8:1.0の範囲に、最も好ましくは約1.5:1.0にある。強有機酸対弱有機酸の重量比は、典型的には約1:1〜約2:1の範囲に、より好ましくは約1:1〜約1.5:1の範囲にある。
濃縮組成物もすぐに使用できる組成物もどちらも本発明に包含されると考えられる。本発明の第一態様に包含される濃縮された洗浄用組成物は水をまったく含まないことが好ましい。本発明の濃縮物は典型的室温（25℃）保存条件下では永久的に安定である。本発明に包含される濃縮型の疎水性汚染物洗浄用組成物は、重量基準で、最大約150部の水（すなわち、濃縮物１部に対して水150部）で、より典型的には約100部の水で希釈することができる。また、本発明に包含される濃縮型のソープスケール洗浄用組成物は、重量基準で、最大約50部の水（すなわち、濃縮物１部に対して水50部）で、より典型的には約40部の水で希釈することができる。
本発明の別の態様は、本発明の第一態様の組成物を用いて表面から疎水性物質を除去する方法であり、またさらに別の態様は、本発明の第二態様の組成物を用いて硬質表面からソープスケールを除去する方法である。
本発明の組成物及び方法のさらなる態様及び利点は、以下の好ましい実施態様及び実施例の記載から明らかとなる。
本明細書で用いられているように、本発明の組成物に有用な有機溶剤は、得られるすぐに使用できる組成物の性能を調整する上で、この組成物の配合者に大きな寛容度を与えるようである。ここで、疎水性汚染物除去用組成物とソープスケール除去用組成物との個々の成分についてさらに詳細に説明する。
有機溶剤
本発明のすべての組成物に用いられる有機溶剤には、該組成物の迅速な乾燥特性を向上させ、且つ疎水性汚染物、石鹸皮膜及びスケールに含まれる有機物を可溶化する働きがある。
本発明の第一態様及び第二態様の組成物に使用される好ましい有機溶剤は、水中濃度0.1重量％における静的表面張力が約３×10-4ニュートン／cm（30ダイン／cm）以下であり、且つ水溶性が極めて小さい。本明細書中の用語「水溶性が極めて小さい」とは、20℃の水における有機溶剤の溶解度が約0.01重量％〜約0.2重量％、より好ましくは約0.1重量％〜約0.2重量％の範囲にあることを意味する。
上記要件を満たす有機溶剤の特に好ましい種類の一つとして、アルキル基が約８〜約12個の炭素原子を有するN-アルキルピロリドンが挙げられる。International Specialty Products,Wayne,NJから商品名「Surfadone」LP-100として市販されているN-オクチルピロリドンが特に好ましい。この特に好ましいピロリドンは、水への最大溶解度約0.124重量％、最小静的表面張力2.8×10-4ニュートン／cm（28ダイン／cm）、及び（1秒後の表面における）動的表面張力2.9×10-4ニュートン／cm（29ダイン／cm）を示す。N-オクチルピロリドンは0.1重量％水溶液において４秒のドレーブス湿潤時間を示す。特に好ましいピロリドンの別のものは、アルキル基の炭素原子数が12個であるN-ドデシルピロリドンである。この特に好ましいピロリドンは、水への最大溶解度約0.002重量％、最小静的表面張力2.6×10-4ニュートン／cm（26ダイン／cm）、及び0.1重量％水溶液におけるドレーブス湿潤時間約300秒を示す。
N-アルキルピロリドンの水溶性は極めて小さいが、アニオン界面活性剤や非イオン界面活性剤を添加することでそれらの水溶性及び湿潤速度を高めることができる。従って、一般には本発明の組成物に非イオン界面活性剤とカップラーを添加することが望ましい。
カップラー
本明細書中の用語「カップラー」は、その一次的機能として、本発明の組成物に有用な有機溶剤を実質的に完全に、好ましくは完全に可溶化する能力を有する典型的には低分子量（500未満）の化合物又は化合物混合物を意味する。カップラーは界面活性剤の特性を有することもできるが、これはその一次的な機能ではない。また、用語「ヒドロトロープ」を用いてカップリング性物質を記述する場合もあり、本明細書中の用語「カップラー」と「ヒドロトロープ」は互換性がある。
本発明の疎水性汚染物除去用組成物では、モノエタノールアミンなどの低分子量アルカノールアミンと、ドデシルベンゼンスルホン酸やそのナトリウム塩などの線状アルキルベンゼンスルホン酸やアルキルベンゼンスルホネートとの混合物といった二成分カップラー系を使用することが一般に望ましい。低分子量アルカノールアミンは線状アルキルベンゼンスルホネートやアルキルベンゼンスルホン酸よりもモル過剰量で使用することが好ましい。というのは、これらの組成物のpHは塩基性、好ましくはRTUでは約８〜約11、コーンでは約８〜約12であることが一般に望ましいからである。
本発明の第二態様のソープスケール除去用組成物では、好ましいカップラーは、一成分系、より好ましくはStepan Chemicals社（Northfield,IL）から市販されている商品名「AMMONYX LO」として知られているようなアミンオキシドである。この特別なアミンオキシドの一般化学構造式は以下のとおりである。
0003931255.tif 000003
本発明のソープスケール洗浄用組成物におけるカップラーとして使用することができるその他のアミンオキシドとして、エーテルアミンオキシド（ジヒドロキシエチルイソドデシルオキシプロピルアミンオキシド）である商品名「AO-14-2」のものが含まれる。ソープスケール洗浄用組成物濃縮物中のアミンオキシドカップラーの量は、典型的且つ好ましくは約８〜約20重量％アクティブ、より好ましくは約８〜約15重量％アクティブの範囲にある。意外なことに、本発明の疎水性汚染物除去用組成物では、アミンオキシドカップラーの量を増加させると（有機物質に対するカップラーの比率を高めると）、米国特許第5,080,822号及び同第5,080,831号明細書の教示に反し、該組成物によって除去される石鹸皮膜やスケールのパーセントも増加する。このことはまったく予測できない結果であった。
ソープスケール洗浄用組成物において有用な強有機酸及び弱有機酸
強有機酸及び弱有機酸の好ましい化学構造式とそれぞれの水溶液中でのpHについては既に記載した。本発明の第二態様のソープスケール除去用組成物では、強有機酸の濃度は、濃縮組成物の全重量に対して典型的且つ好ましくは約20〜約40重量％、より典型的には約25〜約35重量％の範囲にある。
本発明の第二態様における弱有機酸の重量％、濃縮組成物の重量に対して典型的には約15〜約30重量％、より好ましくは約18〜約25重量％の範囲にある。
表面からソープスケールを除去するのに適した本発明の第二態様の組成物では、一般に強有機酸に対する弱有機酸の比率が増加するにつれて性能が向上する。しかしながら、この組成物は下部の表面を損なう可能性があるので、弱有機酸の量が多すぎることのないように注意しなければならない。
界面活性剤
先にも述べたように、界面活性剤は、本発明の希釈型組成物において水の表面張力を低下させるように働く。
本発明の疎水性汚染物除去用組成物に有用な界面活性剤の好ましい種類の一つが非イオン界面活性剤である。例として、アルキルフェノール、アルキルアミン又は脂肪族アルコールと、分子内にポリオキシエチレン鎖及び／又はポリオキシプロピレン鎖、すなわち、（-O-CH2-CH2-）反復基から成る鎖若しくは（-O-CH2-CH2-CH2-）反復基から成る鎖又はこれらの混合物を有する化合物を生成するのに十分量のエチレンオキシド、プロピレンオキシド又はこれらの混合物との縮合によって得られる非イオン洗剤が挙げられる。この種の化合物の多くは知られており、またそれらの洗剤性、界面活性、湿潤性及び乳化性が利用されている。例えば、Harcros Chemica1社から市販されている商品名「T-DET A-826」の非イオン界面活性剤がある。
本発明において有用なこの種の界面活性剤は、約４〜16モル、好ましくは４〜12モルのエチレンオキシド（若しくはプロピレンオキシド又はこれらの混合物）と、（1）アルキル基中の炭素原子数が約１〜15個、好ましくは７〜10個のアルキルフェノール；（2）アルキル基中の炭素原子数が約10〜20個、好ましくは12〜16個のアルキルアミン；（3）分子内の炭素原子数が約10〜20個、好ましくは12〜16個の脂肪族アルコール；及び（4）プロピレンオキシドとプロピレングリコールとの縮合によって形成された疎水性基剤から成る群より選ばれた化合物１モルとの縮合によって得られる化合物である。上記非イオン性洗剤基を２種以上含む混合物を使用することもできる。１モルの母体化合物（すなわち、アルキルフェノール、アルキルアミン又は脂肪族アルコール）と縮合されるエチレンオキシド（又はプロピレンオキシド）のモル数は、縮合生成物の疎水性部分の分子量に依存する。本発明に用いられる非イオン界面活性剤は、実用に供することができる組成物又はそのすべての希釈物において確実に溶解するに十分なエチレンオキシド単位（若しくはプロピレンオキシド単位又はその両方）を有することが必要である。
一般に、本発明において使用するのに好適な非イオン界面活性剤は、上記比率の反応体を縮合させて得ることができる。界面活性剤の重量％は、すぐに使用できる組成物において典型的には約0.1〜約1.0重量％の範囲にある。界面活性剤の量が約1.0重量％を越えると非経済的となり、また典型的にはさらに有益な湿潤性が得られることにはならない。非イオン界面活性剤の量が約0.1重量％よりも少ないと、疎水性汚染物で覆われた表面の濡れが不十分となることがあるが、このことが必ずしも本発明の範囲外であるということではない。
任意成分
本発明の組成物はその他常用ではない任意成分を含むことができる。例えば、この組成物は、美観を付与するための着色剤、好ましい香りを付与するための香料、溶液中の細菌の繁殖を防止するための防腐剤、微生物、糸状菌、カビ、等を根絶するための適当な抗菌剤又は制菌剤、発泡剤若しくは消泡剤、皮膜形成剤、等を含有することができる。本発明のソープスケール洗浄用組成物には抗菌剤や制菌剤が特に有用である。このような成分は当該技術分野では周知であり、当業者であればそれぞれの特定量については周知である。好ましい抗菌剤化合物の一つは、Lonza Chemical社から市販されている商品名「BARDAC 205M」の第四アンモニウム化合物である。
本発明の組成物は、洗浄すべき表面にエアロゾル若しくは非エアロゾルとして噴霧する方法で、又は単にその上に注ぎ込む方法で使用することができる。噴霧法は、常用の機械的噴霧装置によって、又は低沸点アルカン類若しくはその混合物、例えば、イソブタンとプロパンの混合物、といった適当なエアロゾル噴射剤を十分量含むエアロゾル分配用容器によって、実施することができる。
本発明の範囲内に含まれるものと考えられる特に好ましい濃縮型及びRTU型の組成物の例を表Ａに示す。
0003931255.tif 000004
本発明の組成物を用いた表面洗浄法
本発明の組成物は、所望により濃縮型又はすぎに使用できる形で表面に適用することができる。本発明の組成物を用いて疎水性汚染物又はソープスカム及びスケールを除去する際には、特に下部表面が軟質である及び／又はこれに装飾が施されている場合、スクラビングは不要であることが好ましいが、多孔質スポンジ材又は不織布若しくは織物製品のような研磨剤を使用することはできる。好ましい不織布の一つは、Minnesota Mining and Manufacturing社（”3M”）（St.Paul,MN）から商品名「Scotch-Brite」として知られているものである。このような不織布製品とその製造法については米国特許第2,958,593号（Hooverら）明細書に記載されている。
本発明の組成物と方法を以下の試験法及び実施例でさらに説明する。特に断らない限り、すべての部及びパーセントは重量を基準としたものである。
試験法
試験法１：食品油脂除去試験
食品油脂除去試験では、溶液とするに十分量の塩化メチレンに溶解させた等量の大豆油とラードを含む標準食品油脂溶液を調製した。この溶液には少量のオイルブルー顔料を添加した。次いで、その食品油脂の中に25ミリメートル（mm）×75ミリメートル（mm）のスライドガラスを数秒間浸漬した後、それを素早く引き上げてスライドの両面（各面25mm×30mm）に食品油脂を塗布した。次いで、その食品油脂塗被スライドを室温（約20℃）で16時間以上吊り下げて乾燥させた。
食品油脂除去試験では、試験すべき組成物140ミリリットル（ml）を、磁気攪拌棒（長さ2.54cm）を装備した150mlのガラス製ビーカーに入れた。次いで、そのビーカーをマグネティックスターラー（Barnant社モデル700-5011）の上に配置した。次いで、洗浄すべき塗被されたスライドガラスを、試験すべき組成物中、塗被部分をビーカーの底部に向け、他端部を適当な支持体に取り付けて垂直に懸垂させ、スライドガラスが試験すべき組成物以外には触れないように、且つ攪拌棒がスライドガラスやビーカー側部に当たらないようにした。すぐにマグネティックスターラーを駆動させ、そしてストロボライトで攪拌力を2000回転に調整した。組成物を５分間攪拌した後、スライドの各面について食品油脂除去率％を目視測定した。スライドは再使用しなかった。
試験法２：ソープスカム除去試験
この試験では、石鹸水、グラファイト粉末、皮脂及び「硬水」から成る標準ソープスカム形成性組成物を調製した。（少量のカルシウムとマグネシウムを脱イオン水に穏やかに加熱しながら溶解させて合成硬水を調製した。次いで、これにグラファイト、皮脂及び石鹸液を混合して標準ソープスカム形成性組成物を調製した。）次いで、この標準ソープスカム形成性組成物を黒色セラミックタイル表面に噴霧した後、一晩（約12時間）乾燥して標準ソープスカムを形成させた。
次いで、Pacific Scientific社から入手したGardner磨耗試験機を用いてセラミックタイルからソープスカムを除去しようとした。この試験機は、標準ソープスカム被覆パネルを取り付ける水平面と不織布表面処理製品用の往復動作式ホルダーとを本質的に含むものとした。不織布パッド（3M社製、商品名「Scotch-Brite 9030」）を往復動作式ホルダーに取り付けて、そのパッドで標準ソープスカム被覆セラミックタイルを横方向に擦った。ホルダーの重量はおよそ300グラムとした。機械を10回運転し、被覆セラミックタイルから標準ソープスカムの少なくとも一部を除去した。10回後に除去されたソープスカムの量を目視測定した。セラミックタイルは再使用しなかった。
材料の説明
「SURFADONE」LP-100は、International Specialty Products社、Wayne,NJから市販されているN-オクチルピロリドンの商品名である。
「SURFADONE」LP-300は、International Specialty Products社、Wayne,NJから市販されているN-ドデシルピロリドンの商品名である。
「MEA」は、Union Carbide社、New York,NYから市販されている「モノエタノールアミンの名称である。
「T-DET A-826」は、Harcros Chemical社から市販されている線状アルコールアルコキシレート非イオン界面活性剤の商品名である。
「SDS」はドデシルベンゼンスルホン酸ナトリウムである。
「AMMONYX」は、Stepan Chemical社、Northfield,ILから市販されているアミンオキシドカップラーの商品名である。
「BARDAC 205M」は、Lonza Chemical社から市販されている抗菌剤として有用な第四アンモニウム化合物の商品名である。
実施例
実施例１〜４：食品油脂除去
実施例１〜４の組成物を表１に記載する。実施例１〜４の組成物はどれも、水溶性が極めて小さい有機物質を完全に可溶化するのに最少限必要な量の３倍を越える量のカップラーを含む。これらの組成物を上記の食品油脂除去試験に供した。食品油脂を完全に除去するのに要した時間を表１に記載した。表１のデータは、既知のカップラーであるドデシルベンゼンスルホン酸ナトリウムを、水溶性が極めて小さい有機溶剤を完全に可溶化するのに必要な量の３倍を越えて増加させると、組成物の洗浄性能が改良されたことを立証している。
0003931255.tif 000005
実施例５並びに比較例Ａ及びＢ：ソープスカム除去
実施例５並びに比較例Ａ及びＢの濃縮組成物を表２に記載した。実施例５は、水溶性が極めて小さい有機物質を完全に可溶化するのに最少限必要な量の３倍を越える量のカップラーを含むものとした。しかしながら、比較例Ａ及び比較例Ｂは、水溶性が極めて小さい有機物質を完全に可溶化するのに最少限必要な量の３倍未満の量を含むものとした。
これらの組成物を、水（濃縮組成物１部当たり39部の水）で希釈した後、上記ソープスカム除去試験に供した。試験した各組成物について除去されたソープスカムの量を表２に記載した。これらのデータは、水溶性が極めて小さい有機溶剤を完全に可溶化するのに必要な量の３倍未満ヘアミンオキシドカップラー（AMMONYX LO）を減少させると、組成物の洗浄性能が低下したことを立証している。
0003931255.tif 000006
当業者には本発明の各種変形が明らかである。これら実施例及び記載は添付の請求の範囲を裏付けるためのものであり、これを限定するものではない。